(57)【要約】【課題】御朱印は、参詣の証だけでなく、芸術性も高いと考えられている。したがって、神聖さと高級感をもち、なおかつ様々な材料で使用できる御朱印帳を提供するものである。【解決手段】塗装処理が施された表表紙１０および裏表紙１２と、  蛇腹折の状態で両端紙の一方が前記表表紙に貼り付けられ、他方が前記裏表紙に貼り付けられた台紙１４を有することを特徴とする朱印帳。【選択図】図１
0003205791.tif 000002
【実用新案登録請求の範囲】
【請求項１】
塗装処理が施された表表紙および裏表紙と、
蛇腹折の状態で両端紙の一方が前記表表紙に貼り付けられ、他方が前記裏表紙に貼り付けられた台紙を有することを特徴とする朱印帳。
【請求項２】
前記表表紙と前記裏表紙の少なくとも一方に蒔絵が施されていることを特徴とする請求項１に記載された朱印帳。
【考案の詳細な説明】
【技術分野】
【０００１】
本考案は、表紙のデザインの自由度を高めることができる朱印帳に関し、特に表紙に塗装処理を行った朱印帳に関するものである。
【背景技術】
【０００２】
御朱印は、参詣者が写経をお寺に納めた際にもらう印である。近年では、納経しなくても参詣の証としてもらうことができる。さらに、現在では、神社でも参詣の証としてもらうことができる。特に、四国八十八カ所霊場巡りの証として御朱印を集めることは、有名である。御朱印は、紙若しくは木片に記載される。しかし、何箇所も参詣する場合、ばらばらになっては不便である。そこで、古来から御朱印帳が用いられてきた。
【０００３】
御朱印帳は、単に紙を束ねたものや、紙を片綴じにしたものがあった。しかし、このような御朱印帳は、御朱印を１つずつしか見ることができない。そこで、台紙を蛇腹折にした御朱印帳が用いられていた（特許文献１）。
【先行技術文献】
【特許文献】
【０００４】
【特許文献１】実用新案登録第３２０３６２２号公報
【考案の概要】
【考案が解決しようとする課題】
【０００５】
御朱印は、一般的には、自筆で記載される部分と捺印される部分からなり、参詣の証だけでなく、芸術性も高いと考えられている。したがって、御朱印を集める御朱印帳も、それにふさわしい装丁にしたいと要望されている。
【０００６】
現在では神聖さを表すデザインとして木目を残した木製の御朱印帳も存在する。しかし、木目を残す場合は、外観の見栄えをよくするために、縦方向に正目になった木片を用いる必要があり、値段が高くなるという課題があった。本考案は、より安い素材を用いても、高級感を出せる御朱印帳を提供するものである。
【課題を解決するための手段】
【０００７】
本考案はこのような課題に鑑みて想到されたものである。より具体的に本考案の朱印帳は、
塗装処理が施された表表紙および裏表紙と、
蛇腹折の状態で両端紙の一方が前記表表紙に貼り付けられ、他方が前記裏表紙に貼り付けられた台紙を有することを特徴とする。
【考案の効果】
【０００８】
本考案に係る朱印帳は、表表紙と裏表紙を塗装処理を行うことで、高級感を出すことができる。したがって、表紙の基材が正目でない板材だけでなく、紙、プラスチック、金属であっても、同様に高級感や神聖感を持った朱印帳を提供することができる。
【図面の簡単な説明】
【０００９】
【図１】本考案に係る朱印帳の概観を示す図である。
【図２】本考案に係る朱印帳のデザイン例を示す図である。
【図３】朱印帳を開いた状態を示す図である。
【考案を実施するための形態】
【００１０】
以下に本考案に係る朱印帳１を図面を参照しながら説明する。なお、以下の説明は、本考案の一実施形態について説明するものであり、本考案に係る朱印帳１は、以下の実施形態に限定されるものではない。以下の実施形態は、考案の趣旨を逸脱しない範囲において、改変することができる。
【００１１】
図１に本考案に係る朱印帳１の斜視図を示す。朱印帳１は、表表紙１０、裏表紙１２、台紙１４を含む。表表紙１０と裏表紙１２は、紙、板材（木製）、革、プラスチック、金属、陶磁器等が公的に利用できる。また、表表紙１０と裏表紙１２は、同一の材料でなくてもよい。例えば、表表紙１０だけが木製であり、裏表紙１２は、紙製であってもよい。
【００１２】
大きさは特に限定されるものではない。一般的には、１１０ｍｍ×１６０ｍｍ若しくは１２０ｍｍ×１８０ｍｍといったサイズがよく使われる。しかし、これに限定されるものではない。
【００１３】
厚みも特に限定されるものではない。本考案に係る朱印帳では、表表紙１０および裏表紙１２には、塗装処理を行うので、ある程度厚みのある方が処理を行いやすい。一方、あまり分厚いものは、携帯しにくいという問題がある。表表紙１０と裏表紙１２を木製で形成する場合は、４〜６ｍｍ程度の厚みが好適である。
【００１４】
表表紙１０と裏表紙１２の少なくとも一方には、塗装処理が施される。塗装処理とは、材料の表面に塗料を塗り乾燥させることである。乾燥後、艶出し研磨を行って仕上げてもよい。また、材料の表面に下地処理を行ってから塗装処理を行ってもよい。特に、材料がプラスチックや金属の場合には、予め下地用塗料を塗布してから、塗料を塗るのが望ましい。
【００１５】
塗装処理を行うことで、表表紙１０若しくは裏表紙１２の表面は、光沢のある滑らかな仕上げとなる。塗装処理の際に、蒔絵を施してもよい。蒔絵は、塗装された表面に、微小な金属粉末で図形を描き、定着させる技法である。塗装処理の後に溝で図形を描き、金属粉末を埋め込む方法をとってもよい。金属粉末は金や銀が好適に利用される。
【００１６】
図２には、表紙のデザイン例を示す。図２（ａ）は表表紙１０であり、図２（ｂ）は裏表紙１２である。表表紙１０には、花柄模様に「朱印帳」と記載されたデザインが蒔絵によって施されている。裏表紙１２には、花柄模様に「和歌浦神社」が蒔絵によって描かれている。
【００１７】
図１を参照して、台紙１４は、朱印を描くスペースである。通常は、白い和紙が基材として用いられる。朱印は、墨字と赤印で構成される場合が多いので、台紙が白であれば、よくわかるからである。しかし、白以外の色であってもよいし、和紙以外の素材であってもよい。
【００１８】
台紙１４は蛇腹折にされる。蛇腹折とは、長尺の和紙を一定幅毎に山折と谷折を繰り返すことで得られる。一定幅とは、表表紙１０及び裏表紙１２の幅に相当する幅である。一定幅毎のスペースを「頁１４ｐ」（図３参照）と呼ぶ。台紙１４は基材となる和紙を予め一定の大きさに切り出し、縦横をあわせて、一方の辺を綴じる方法でもよい。しかし、このような装丁をした場合、頁を見開くと、綴じた部分が盛り上がり、朱印を行いにくい。一方、蛇腹折にしておけば、どの頁もフラットな状態で新たな朱印を行うことができる。
【００１９】
また、蛇腹折にしておくと、後から見る場合も、広げることで、多数の朱印を一度に鑑賞することができる。
【００２０】
台紙１４は、二重構造に構成するのが望ましい。朱印は墨字と朱印で構成されるので、１枚の和紙だけだと、裏側に染みてしまい、頁の裏面が使用できなくなるからである。したがって、台紙１４は、長尺の和紙基材を一定幅毎に山折と谷折を繰り返した２つの基材（第１基材１４ａと第２基材１４ｂと呼ぶ。）を山谷が一致するように重ねたものが好適に利用される。
【００２１】
また、互いの基材の折目の部分には折目から５〜１０ｍｍ程度の幅で、接合部１４ｃが設けられている。この部分で第１基材１４ａと第２基材１４ｂは接着されるので、朱印帳を開いても第１基材１４ａと第２基材１４ｂがずれてしまうことはない。
【００２２】
図１（ｂ）には、台紙１４の折目の部分の拡大図を示す。第１基材１４ａと第２基材１４ｂは重ねてある。また、折目の部分で接着部１４ｃが存在する。頁１４ｐ（図３参照）は、折目の両端が接着され、頁１４ｐの上下は接着されていないので、筒状に開くことができる。
【００２３】
蛇腹折にされた台紙１４の両端の頁を「端紙１４ｔ」と呼ぶ。端紙１４ｔは、両端にあるので、それぞれ「端紙１４ｔａ」、「端紙１４ｔｂ」とする。両方の端紙１４ｔａ、１４ｔｂをまとめて呼ぶ際に「両端紙」と呼んでもよい。
【００２４】
端紙１４ｔは表表紙１０および裏表紙１２の裏面に接着される。ここで、表表紙１０および裏表紙１２の裏面とは、塗装処理を行っていない方の面をいう。もし表表紙１０および裏表紙１２が、ぞれぞれ表裏に渡って塗装処理が行われている場合は、どちらの面を裏面としてもよい。
【００２５】
以上のように構成された朱印帳は、図３に示すように、複数頁１４ｐを一度に広げることで、一枚の頁を平坦にすることができる。図３では、６頁が一度に見えるように開いた状態を示す。ここで、山折は符号１４ｍで表し、谷折は符号１４ｎで表した。このようにすることで、中ほどの頁１４ｐは、１頁に渡り、平らにすることができるので、朱印を行いやすい。
【００２６】
また、頁１４ｐを閉じると図１に示すような外観となる。表表紙１０と裏表紙１２の少なくとも一方は、塗装処理を施してあるので、美感および高級感に優れている。また、蒔絵を施すことで、美感はさらに高まる。
【００２７】
また、蒔絵は、デザインを描いたシールを貼り付けてもよい。塗装処理の表面は平滑性が高いので、シールも確実に貼り付けることができる。
【産業上の利用可能性】
【００２８】
本考案は、装飾性の高い朱印帳に好適に利用することができる。
【符号の説明】
【００２９】
１  朱印帳
１０  表表紙
１２  裏表紙
１４  台紙
１４ａ  第１基材
１４ｂ  第２基材
１４ｃ  接合部
１４ｍ  山折
１４ｎ  谷折
１４ｐ  頁
【図１】
0003205791.tif 000003
【図２】
0003205791.tif 000004
【図３】
0003205791.tif 000005